(57)【要約】【課題】画像転写前の用紙に付着する紙粉量を効果的に低減することができる用紙搬送装置を提供する。【解決手段】画像形成装置の感光体上流側に配置される一対のレジストローラ１、２からなる用紙搬送装置において、一方の上側レジストローラ１に複数の紙粉除去手段３、４を設けた。【選択図】        図１
2004161409.tif 000002
【特許請求の範囲】
【請求項１】
画像形成装置の感光体上流側に配置される一対のレジストローラからなる用紙搬送装置において、一方のレジストローラに複数の紙粉除去手段を設けたことを特徴とする用紙搬送装置。
【請求項２】
請求項１記載において、紙粉除去手段の少なくとも１つには振動発生体を取り付けたことを特徴とする用紙搬送装置。
【請求項３】
請求項１記載において、振動発生体は、用紙の幅方向に可動であることを特徴とする用紙搬送装置。
【発明の詳細な説明】
【０００１】
【発明の属する技術分野】
本発明は、画像形成装置の感光体上流側に配置される一対のレジストローラからなる用紙搬送装置に関する。
【０００２】
【従来の技術】
従来より、画像形成装置の感光体上流側に配置されるレジストローラに紙粉除去手段を取り付けて搬送下流に送られる紙粉量を低減させる機構は広く採用されており、その目的に対し一定の効果を上げてきた。
【０００３】
また、類似の技術として、プロセスカートリッジからトナー収納部分だけを独立分離して交換可能とするとともに、リサイクルトナー中に含まれる紙粉等の異物を事前に除去して画質の悪化が発生しないようにする特許文献１の「トナーカートリッジ及びそれを用いた画像形成装置」が知られている。
また、フィルター手段の目詰まりの発生を防止して、リサイクルトナーから紙粉やトナー凝集塊の除去を確実に行われ、リサイクルトナーの再使用により資源の有効利用に供しながら異常画像の発生が回避され、省資源化、ランニングコストのダウンを図る特許文献２の「リサイクルトナー分級装置及びそれを備えたプロセスカートリッジ、トナーバンク及び画像形成装置」が知られている。
また、クリーニングブレード上に堆積する紙粉を定期的に除去可能にして、クリーニングブレードの清掃効果の劣化を防ぐ特許文献３の「レジストローラの清掃装置」が知られている。
また、枚葉紙の断面に接触して回転移動可能なブラシと、枚葉紙を１枚づつ送る搬送手段と、枚葉紙に振動を与える手段または枚葉紙に空気を吹きつける手段のいずれか１つの手段とを少なくとも備え、また遊離した紙粉を捕獲するフィルターと、フィルターに向かって流れる空気流とを備え、複写機等に供される枚葉紙に付着している紙粉を除去する特許文献４の「枚葉紙の紙粉除去装置」が知られている。
さらに、クリーニングブレードに振動子を取り付け、クリーニングブレードの先端にトナーや紙粉が溜まらないようにして、クリーニング性能の低下を防止するとともに、異常画像の発生を防止する特許文献５の「電子写真装置」が知られている。
【０００４】
【特許文献１】
特開平１１−３１１９０２号公報
【特許文献２】
特開平１０−２６０５８３号公報
【特許文献３】
特開平１０−１２９８７４号公報
【特許文献４】
特開平５−１３９５５８号公報
【特許文献５】
特開平６−４０１４号公報
【０００５】
【発明が解決しようとする課題】
しかし、画像品質の向上が要求されている現在、さらに画像転写前の用紙に付着する紙粉量を低減させる必要が生じている。また搬送する９４用紙のサイズで１種類が突出すると、紙粉の堆積する位置がほぼ固定されてしまい紙粉格納スペースの１部のみで紙粉あふれが起こることもある。この場合、紙粉格納容量に満たない紙粉量で除去した紙粉の逆流による不具合が発生する懸念もあった。
【０００６】
本発明は、画像転写前の用紙に付着する紙粉量を効果的に低減することができる用紙搬送装置を提供することを目的とする。
【０００７】
【課題を解決するための手段】
上記目的を達成するために、請求項１記載の発明は、画像形成装置の感光体上流側に配置される一対のレジストローラからなる用紙搬送装置において、一方のレジストローラに複数の紙粉除去手段を設けた用紙搬送装置を最も主要な特徴とする。
【０００８】
請求項２記載の発明は、請求項１記載において、紙粉除去手段の少なくとも１つには振動発生体を取り付けた用紙搬送装置を主要な特徴とする。
【０００９】
請求項３記載の発明は、請求項１記載において、振動発生体は、用紙の幅方向に可動である用紙搬送装置を主要な特徴とする。
【００１０】
【発明の実施の形態】
以下、本発明の実施の形態を図面に従って説明する。
図１は本発明の実施の形態に係る用紙搬送装置の正面図、図２は同じく側面斜視図、図３は同じく下面斜視図である。
【００１１】
上側レジストローラ１と下側レジストローラ２とでレジストローラ対が構成されており、上側レジストローラ１には、第１の紙粉除去シート３と第２の紙粉除去シート４の先端が周方向に適宜間隔をおいて当接している。また第１の紙粉除去シート３の内側には振動発生体５が振動発生体保持移動レール６によって取り付けられている。この振動発生体５は、振動発生体保持移動レール６上を用紙の幅方向に移動できるようになっている。上側レジストローラ１の上部には紙粉受け７が設けてある。
【００１２】
機内を通過する用紙は上側レジストローラ１と下側レジストローラ２の間を挟まれながら通過する。このとき、用紙表面の紙粉が下側レジストローラ２から上側レジストローラ１に転写される。上側レジストローラ１表面に付着した紙粉は第１の紙粉除去シート３によって掻きとられ、紙粉受け７中に格納される。
【００１３】
繊維の大きな紙粉を持つ用紙を使用した場合に第１の紙粉除去シート３先端には紙粉の繊維が絡み付き、これによって発生した上側レジストローラ１と第１の紙粉除去シート３の隙間から紙粉がすり抜けて再度用紙上に落ちることがある。これを防ぐためにさらにすり抜けた紙粉を掻きとるために第２の紙粉除去シート４を持っている。
【００１４】
ここで、紙粉除去シート３、４は定期的に清掃等のメンテナンスが必要となるが長期に亘り、同形状の用紙を使用すると紙粉の堆積する場所も固定され、部分的に紙粉の山ができて、他の位置には紙粉が体積していないにもかかわらず、この山の高さが紙粉除去シート先端まで成長すると紙粉があふれてしまうことがある。特に第１の紙粉除去シート３及び紙粉受け７の傾きが水平に近いと発生しやすい。
【００１５】
このため、振動発生体５を用いて紙粉除去シート表面を振動させ、堆積した紙粉の山を崩して紙粉受け７内に拡散させることで、紙粉受け７の許容紙粉回収容量を拡大させている。これにより清掃サイクルの延長が期待でき、紙質の悪い用紙を使用した場合にも紙粉あふれが起こりにくくなる。
【００１６】
また振動発生体５は、振動発生体保持移動レール６上を用紙の幅方向に移動できるようになっているので、サイズの異なる多種類の用紙に対応して効率よく紙粉を回収することができる。
【００１７】
【発明の効果】
請求項１記載の発明によれば、画像形成装置の感光体上流側に配置される一対のレジストローラからなる用紙搬送装置において、一方のレジストローラに複数のの紙粉除去手段を設けたので、レジストローラに付着する紙粉を複数段階に亘り確実に回収することができる。
【００１８】
請求項２記載の発明によれば、紙粉除去手段の少なくとも１つには振動発生体を取り付けたので、さらに紙粉回収効率を高めることができる。
【００１９】
請求項３記載の発明によれば、振動発生体は用紙の幅方向に可動であるので、サイズの異なる多種類の用紙に対応して効率よく紙粉を回収することができる。
【図面の簡単な説明】
【図１】本発明の実施の形態に係る用紙搬送装置の正面図である。
【図２】同じく側面斜視図である。
【図３】同じく下面斜視図である。
【符号の説明】
１  上側レジストローラ
２  下側レジストローラ
３  第１の紙粉除去シート（紙粉除去手段）
４  第２の紙粉除去シート（紙粉除去手段）
５  振動発生体
６  振動発生体保持移動レール
７  紙粉受け
【図１】
2004161409.tif 000003
【図２】
2004161409.tif 000004
【図３】
2004161409.tif 000005